(57)【要約】【課題】  止水堰を容易に設置できるようにした掃き出しサッシが配置された室外と室内との境界構造を提供する。【解決手段】  室外３と室内４とがほぼ同じ高さで連続して設けられたコンクリート面２上の前記室外３と前記室内４との境界に、掃き出しサッシ１０が配置され、該掃き出しサッシ１０とコンクリート面２との間に掃き出しサッシ取付用基礎モルタル１１が充填される掃き出しサッシ１０が配置された室外３と室内４との境界構造において、室外３と室内４との境界で掃き出しサッシ取付用基礎モルタル１１の充填箇所からこれに隣接した前記室内４の部分との間の前記コンクリート面２上に、止水堰５を、その下面と前記コンクリート面２との間にパッキン６を介装して設置した。【選択図】  図１
2005113598.tif 000002
【特許請求の範囲】
【請求項１】
室外と室内とがほぼ同じ高さで連続して設けられたコンクリート面上の前記室外と前記室内との境界に、掃き出しサッシが配置され、該掃き出しサッシとコンクリート面との間に掃き出しサッシ取付用基礎モルタルが充填される掃き出しサッシが配置された室外と室内との境界構造において、前記室外と前記室内との境界で前記掃き出しサッシ取付用基礎モルタルの充填箇所からこれに隣接した前記室内の部分との間の前記コンクリート面上に、止水堰がその下面と前記コンクリート面との間にパッキンを介装して設置されていることを特徴とする掃き出しサッシが配置された室外と室内との境界構造。
【請求項２】
前記止水堰は前記掃き出しサッシ取付用基礎モルタルの充填箇所で前記コンクリート面上に設けられていることを特徴とする請求項１に記載の掃き出しサッシが配置された室外と室内との境界構造。
【請求項３】
前記止水堰は前記掃き出しサッシ取付用基礎モルタルの充填箇所に隣接した前記室内の前記コンクリート面上に設けられていることを特徴とする請求項１に記載の掃き出しサッシが配置された室外と室内との境界構造。
【請求項４】
前記パッキンは、粘着剤を含浸した合成樹脂発泡体からなり、止水堰の下面とコンクリート面との間に圧縮されて介装されていることを特徴とする請求項１，２，又は３に記載の掃き出しサッシが配置された室外と室内との境界構造。
【請求項５】
前記止水堰はコンクリート面との間に前記パッキンを介装して、コンクリート面に打ち込まれる固定金具によりコンクリート面に固定されていることを特徴とする請求項１，２，３又は４に記載の掃き出しサッシが配置された室外と室内との境界構造。
【発明の詳細な説明】
【技術分野】
【０００１】
本発明は、掃き出しサッシが配置された室外と室内との境界構造に関するものである。
【背景技術】
【０００２】
従来から、バルコニー、テラス、ベランダ、土間、光庭等の室外と室内とに連続して設けられたコンクリート面上の前記室外と前記室内との境界に、掃き出しサッシが配置され、該掃き出しサッシとコンクリート面との間に掃き出しサッシ取付用基礎モルタルが充填される掃き出しサッシが配置された室外と室内との境界構造が知られている。
【０００３】
従来、前記室外と室内とに連続して設けられたコンクリート面は、室外から室内への雨水等の浸入を防ぐために、室外と室内との境界にコンクリートの立上がり部が設けられ、或いは、室内側を室外よりも一段高いものとされており、前記室外と室内との境界に設けたコンクリートの立上がり部、或いは、室内側のコンクリート面上に掃き出しサッシを配置し、該掃き出しサッシとコンクリートの立上がり部或いは室内側のコンクリート面上との間に掃き出しサッシ取付用基礎モルタルを充填して掃き出しサッシを固定する室外と室内との境界構造が一般的であった。
【０００４】
しかし、前記室外と室内との境界にコンクリートの立上がり部を設けるには、浮かし型枠を設置してコンクリートの打設を行わなければならず、浮かし型枠の設置は手間がかかり、通りが綺麗に仕上がらず、浮かし型枠の精度が出し難いといった作業上の問題点があった。また、近年、建物の高さを変えないで、室内における天井と床との間の距離を稼ぐことが求められるようになった。これら、作業上の難点を解消し、また室内における天井と床との間の距離を稼ぐといったことから、室外と室内とのコンクリート面をほぼ同じ高さとし、該コンクリート面上の前記室外と前記室内との境界に、掃き出しサッシを配置し、該掃き出しサッシとコンクリート面との間に掃き出しサッシ取付用基礎モルタルを充填する室外と室内との境界構造が採用されるようになった。この場合、室外と室内との境界のコンクリート面と前記掃き出しサッシ取付用基礎モルタルと打ち継面を通って室外から室内へ雨水等が浸入するおそれがある。
【０００５】
そこで、室外と室内との境界のコンクリート面上にフラットバーやＬアングルといった止水堰を突出させて設け、その上方に掃き出しサッシを配置し、該掃き出しサッシとコンクリート面上との間に、前記止水堰を内包するように掃き出しサッシ取付用基礎モルタルを充填して掃き出しサッシを固定するようにした室外と室内との境界構造が提案されてる（例えば、特許文献１，２参照。）。
【０００６】
前記フラットバーやＬアングルといった止水堰は、スラブコンクリートの形成時に、前記止水堰が配筋されている鉄筋等に溶接等により固定され、打設コンクリートにより形成されるコンクリート面上から垂直に突出するようにして設けられている。
【特許文献１】特開平５−３４０１７２号公報
【特許文献２】特開平７−２０８０２６号公報
【発明の開示】
【発明が解決しようとする課題】
【０００７】
しかしながら、前記特許文献１，２で提案されている室外と室内との境界構造によれば、室外と室内とのコンクリート面をほぼ同じ高さとすることにより、建物の高さを変えないで、室内における天井と床との間の距離を稼ぐことができるとともに、止水堰により室外から室内への雨水等の浸入を防ぐことができるものの、前記止水堰にあっては、スラブコンクリートの形成時に、前記止水堰が配筋されている鉄筋等に溶接等により固定するので、この作業が面倒であり、また、配筋上での作業となるため、配筋に足をとられ転倒する等といったことに十分注意しながらの作業となり、この点からも作業を面倒なものとしていた。また、溶接機やガス切断機等の設備も用意しなければならないといった問題があった。
【０００８】
本発明の目的は、止水堰を容易に設置できるようにした掃き出しサッシが配置された室外と室内との境界構造を提供することにある。
【課題を解決するための手段】
【０００９】
上記目的を達成するために、請求項１に記載の発明は、室外と室内とがほぼ同じ高さで連続して設けられたコンクリート面上の前記室外と前記室内との境界に、掃き出しサッシが配置され、該掃き出しサッシとコンクリート面との間に掃き出しサッシ取付用基礎モルタルが充填される掃き出しサッシが配置された室外と室内との境界構造において、前記室外と前記室内との境界で前記掃き出しサッシ取付用基礎モルタルの充填箇所からこれに隣接した前記室内の部分との間の前記コンクリート面上に、止水堰がその下面と前記コンクリート面との間にパッキンを介装して設置されていることを特徴とする。
【００１０】
かかる構成から、前記室外と前記室内との境界で前記掃き出しサッシ取付用基礎モルタルの充填箇所からこれに隣接した前記室内の部分との間の前記コンクリート面上に、止水堰がその下面と前記コンクリート面との間にパッキンを介装して設置されているので、前記止水堰により室外から室内への雨水等の浸入を確実に防ぐことができ、そして、前記止水堰は前記コンクリート面上に設置されるので、スラブコンクリートの形成時に止水堰を設置するための作業は一切必要なく、スラブコンクリートの形成作業を容易に且つ安全に行うことができる。また、コンクリート面上への止水堰の設置作業にあっても、コンクリート面上で行うので、容易に且つ安全に行うことができるものとなる。
【００１１】
請求項２に記載の発明は、請求項１に記載の前記止水堰は前記掃き出しサッシ取付用基礎モルタルの充填箇所で前記コンクリート面上に設けられていることを特徴とする。
【００１２】
かかる構成から、止水堰は掃き出しサッシ取付用基礎モルタルに内包されることになり、前記コンクリート面上における他の作業の邪魔にならない。
【００１３】
請求項３に記載の発明は、請求項１に記載の前記止水堰は前記掃き出しサッシ取付用基礎モルタルの充填箇所に隣接した前記室内の前記コンクリート面上に設けられていることを特徴とする。
【００１４】
かかる構成から、掃き出しサッシ取付用基礎モルタルによりコンクリート面上にサッシの掃き出しサッシを固定した後でも、後付けで止水堰の設置を行うことができる。
【００１５】
請求項４に記載の発明は、請求項１，２，又は３に記載の前記パッキンは、粘着剤を含浸した合成樹脂発泡体からなり、止水堰の下面とコンクリート面との間に圧縮されて介装されていることを特徴とする。
【００１６】
かかる構成から、前記圧縮されたパッキンは復元力によりコンクリート面の凹凸に追随して密着するとともに粘着剤がパッキンと止水堰との間及びパッキンとコンクリート面との間の隙間を確実に埋めるので、止水堰の下面とコンクリート面との間からの雨水の浸入を確実に防ぐことができる。
【００１７】
請求項５に記載の発明は、請求項１，２，３又は４に記載の前記止水堰はコンクリート面との間に前記パッキンを介装して、コンクリート面に打ち込まれる固定金具によりコンクリート面に固定されていることを特徴とする。
【００１８】
かかる構成から、パッキンをコンクリート面との間で圧縮した状態で止水堰をコンクリート面上に確実に且つ堅牢に設置することができる。
【発明の効果】
【００１９】
以上のように本発明に係る掃き出しサッシが配置された室外と室内との境界構造によれば、室外と室内との境界で掃き出しサッシ取付用基礎モルタルの充填箇所からこれに隣接した前記室内の部分との間のコンクリート面上に、止水堰がその下面と前記コンクリート面との間にパッキンを介装して設置されているので、前記止水堰により室外から室内への雨水等の浸入を確実に防ぐことができ、そして、前記止水堰は前記コンクリート面上に設置されるので、スラブコンクリートの形成時に止水堰を設置するための作業は一切必要なく、スラブコンクリートの形成作業を容易に且つ安全に行うことができ、また、コンクリート面上への止水堰の設置作業にあっても、コンクリート面上で行うので、容易に且つ安全に行うことができる。
【発明を実施するための最良の形態】
【００２０】
図１は本発明に係る掃き出しサッシが配置された室外と室内との境界構造を実施するための形態の第１例を示したものである。  
本例の掃き出しサッシが配置された室外と室内との境界構造は、スラブコンクリートからなる躯体１のコンクリート面２がほぼ同じ高さで形成されており、このコンクリート面２にバルコニー、テラス、ベランダ、土間、光庭等の室外３と室内４とが連続して設けられている。前記コンクリート面２上の前記室外３と前記室内４との境界に、止水堰５がその下面と前記コンクリート面２との間にパッキン６を介装して設置されている。
【００２１】
前記止水堰５にあっては、本例では図２に示すように、断面がＬ型の長尺体からなり、縦片が止水片５ａとなり、横片が固定片５ｂとなっている。その材質にあっては、例えば、鉄、アルミ、塩ビ等が使用されるが、止水性があり且つ定形性があれば特に限定されるものではない。前記パッキン６は止水堰５の下面、即ち固定片５ｂの下面と前記コンクリート面２との間に介装されて固定片５ｂの下面と前記コンクリート面２との間からの浸水を防ぐことができるものであれば、特に限定されるものではない。
【００２２】
本例では、発泡ウレタン等の合成樹脂発泡体がパッキン６として使用されている。パッキン６が合成樹脂発泡体である場合は、固定片５ｂの下面と前記コンクリート面２との間に、少なくとも雨水を通さない程度に圧縮されて介装されていることを要する。前記合成樹脂発泡体にはアスファルト等の粘着剤が含浸されていることが好ましい。粘着剤が含浸された合成樹脂発泡体をパッキン６として使用することにより、合成樹脂発泡体を圧縮したとき、前記圧縮された合成樹脂発泡体が復元力によりコンクリート面の凹凸に追随して密着し、そして、前記粘着剤がパッキン６と止水堰５の固定片５ｂの下面との間及びパッキン６とコンクリート面２との間の隙間を確実に埋め且つ固定片５ｂの下面とコンクリート面２との接着機能を果たすとともに合成樹脂発泡体内を埋めつぶすことになり、固定片５ｂの下面とコンクリート面２との間の止水をより確実なものとする。
【００２３】
前記のように、止水堰５はコンクリート面２上に、その下面と前記コンクリート面２との間にパッキン６を介装して設置されるが、止水堰５をコンクリート面２上に固定する手段にあっては、コンクリート面２に打ち込まれるコンクリート釘等の固定金具７が用いられ、該固定金具７によりコンクリート面２に固定される。かかる固定金具７による止水堰５の固定にあっては、本例では、前記パッキン６を圧縮する面となる固定片５ｂと前記コンクリート面２に跨がって締め付け固定板８を配置し、該締め付け固定板８に通した金具固定具７を前記コンクリート面２に打ち込んで、前記締め付け固定板８を前記コンクリート面２に固定することにより、止水堰５をコンクリート面２上にパッキン６を圧縮した状態で固定しているが、これに限定されるものではなく、止水堰５に固定金具７を直接通してコンクリート面２に打ち込み固定してもよい。
【００２４】
このようにしてコンクリート面２上に固定した止水堰５には、必要に応じて室外３側の止水堰５とコンクリート面２との間、即ちパッキン６が介装されている部分に、コーキング剤９が充填される。パッキン６が介装されている部分にコーキング剤９を充填することにより、更なる止水を図ることができる。
【００２５】
このようにしてコンクリート面２上に設置された止水堰５の上方に掃き出しサッシ１０が配置され、該掃き出しサッシ１０とコンクリート面２上との間に、前記止水堰５を内包するように掃き出しサッシ取付用基礎モルタル１１が充填されて掃き出しサッシ１０が固定されている。前記掃き出しサッシ１０は、図示のように止水堰５に仮止め金具１２を溶接し仮止めしておいて、掃き出しサッシ取付用基礎モルタル１１の充填を行うことができる。
【００２６】
図３は本発明に係る掃き出しサッシが配置された室外と室内との境界構造を実施するための最良の形態の第２例を示したものである。なお、図１と対応する部分には、同一符号を付けて示している。
【００２７】
本例と前記第１例との相違は、前記止水堰５が前記掃き出しサッシ取付用基礎モルタル１１の充填箇所に隣接した前記室内４の前記コンクリート面２上に設けられている点にある。即ち、本例の室外と室内との境界構造は、前記第１例と同様に、スラブコンクリートからなる躯体１のコンクリート面２がほぼ同じ高さで形成され、このコンクリート面２に室外３と室内４とが連続して設けられている。
【００２８】
そして、前記コンクリート面２上の前記室外３と前記室内４との境界に、掃き出しサッシ１０が配置され、該掃き出しサッシ１０とコンクリート面２上との間に掃き出しサッシ取付用基礎モルタル１１が充填されて掃き出しサッシ１０が固定されている。
【００２９】
このようにしてコンクリート面２上の室外３と室内４との境界に掃き出しサッシ１０を固定する掃き出しサッシ取付用基礎モルタル１１の充填箇所に隣接した前記室内４の前記コンクリート面２上に、前記止水堰５が設置されている。この止水堰５の設置位置は、できるだけ掃き出しサッシ取付用基礎モルタル１１の充填箇所に接近させた位置であることが好ましい。
【００３０】
前記止水堰５の構造及び止水堰５をコンクリート面２上に固定する手段等にあっては、前記第１例と同様なので、第１例を援用し、その説明を省略する。
【図面の簡単な説明】
【００３１】
【図１】本発明に係る掃き出しサッシが配置された室外と室内との境界構造を実施するための最良の形態の第１例を示す縦断面図。
【図２】第１例の止水堰をコンクリート面上に固定した状態を示す斜視図。
【図３】本発明に係る掃き出しサッシが配置された室外と室内との境界構造を実施するための最良の形態の第２例を示す縦断面図。
【符号の説明】
【００３２】
１  躯体
２  コンクリート面
３  室外
４  室内
５  止水堰
５ａ  止水片
５ｂ  固定片
６  パッキン
７  固定金具
８  締め付け固定板
９  コーキング剤
１０  掃き出しサッシ
１１  掃き出しサッシ取付用基礎モルタル
１２  仮止め金具
【図１】
2005113598.tif 000003
【図２】
2005113598.tif 000004
【図３】
2005113598.tif 000005